(57)【要約】【課題】写真画像における被写体の形態再現性及び色再現性、また、不使用時における収納性に優れたアマチュアカメラマン用のミニチュア写真スタジオを提供する。【解決手段】少なくとも被写体Ｂの左右に位置する一対の側面板１２，１２と被写体Ｂの背後に位置する背面板１１とを屈曲自在に構成するとともに、各側面板１２の内側面１２Ａ，１２Ａにはストロボ光を反射する反射層Ｓ１，Ｓ１を形成する。一対の側面板１２，１２背面板１１とは、上方からの観察においてコ字形をなすように角度調節し、背面板１１の上端縁に沿って可撓性の背景幕１６を巻き取り収納したロール芯１７を設ける。そして、ロール芯１７から背面板１１の前方を通って円滑に屈曲させるように背景幕１６を下垂させる。背景幕１６の前方、左右の側面板１２，１２の間に被写体Ｂを置き、ストロボ撮影をする。この結果、被写体Ｂには反射層Ｓ１，Ｓ１からの豊富な間接光が照射される。使用後は、側面板１２，１２と背面板１１とを折り重ねて収納する。【選択図】　図１
2004145023.tif 000002
【特許請求の範囲】
【請求項１】
少なくとも被写体の左右に位置する一対の側面板と被写体の背後に位置する背面板と該背面板の前面を覆う可撓性の背景幕と該背景幕を巻き取り収納するロール芯とを備え、
前記一対の側面板と背面板とは、屈曲連結部材を介してまたは折り目の形成によって屈曲自在に連結するとともに、一対の側面板の少なくとも内側面には、ストロボ光を反射する反射層を形成し、前記背景幕は、前記背面板の上端縁に沿って設置する前記ロール芯から被写体の下側に及んで円滑に屈曲させて下垂させることを特徴とする折り畳み可能なミニチュア写真スタジオ。
【請求項２】
前記一対の側面板と背面板とは、前記折り目を介して連続する段ボール構造の一枚板材からなることを特徴とする請求項１に記載の折り畳み可能なミニチュア写真スタジオ。
【請求項３】
前記ロール芯は、表面態様の異なる複数枚の背景幕を備えることを特徴とする請求項１または請求項２に記載の折り畳み可能なミニチュア写真スタジオ。
【請求項４】
前記ロール芯は、両端部に前記背面板の上端縁に沿った姿勢において前記一対の側面板の上端縁と係合し、前記背面板に対する前記一対の側面板の所定の角度を保持する係合部材を備えることを特徴とする請求項１ないし請求項３のいずれかに記載の折り畳み可能なミニチュア写真スタジオ。
【請求項５】
前記一対の側面板は、内側面と外側面とに表面態様の異なる反射層を備え、前記屈曲連結部材または折り目を介して逆方向に折り曲げることによって、外側面を内側として使用可能であることを特徴とする請求項１ないし請求項４のいずれかに記載の折り畳み可能なミニチュア写真スタジオ。
【請求項６】
前記一対の側面板の少なくとも一方が、屈曲連結部材または折り目を介して該側面板に対して屈曲自在のリフレクタ板を備えることを特徴とする請求項１ないし請求項５のいずれかに記載の折り畳み可能なミニチュア写真スタジオ。
【発明の詳細な説明】
【０００１】
【発明の属する技術分野】
本発明は、小物物品の写真撮影に利用することによって、物品の色相および形態を写真画像として明確に再現させることを目的とし、しかも、使用しないときには、折り畳むことによって場所を取らずに収納しておくことができる折り畳み可能なミニチュア写真スタジオに関する。
【０００２】
【従来の技術】
パーソナルコンピュータ及び高度な撮影技術を要しないデジタルカメラや廉価で高性能なカラープリンタの一般的普及に伴い、ホームページ掲載用、カタログや書籍掲載用、意匠登録のための図面代用写真用等の写真を自作する人が増えている。しかし、同等の性能を有するカメラを使用したとしても、職業カメラマンが撮影した写真とアマチュアカメラマンのそれとでは、写真画像の品質に少なからない差違が生じることが多い。そして、このような写真画像におけるプロとアマチュアとの格差は、主に、被写体に照射される光線を撮影の目的に応じてコントロールすることができる撮影器材を所有しているか否かの差違によって生じるということができる。
【０００３】
写真画像は、被写体によって反射された光線を感光物質またはＣＣＤ等の感光素子で捉えることによって形成されるものであり、したがって、写真画質の良否は、撮影器材の中でも照明器材の影響を最も受けるものである。このため、プロカメラマンは、十分な光量の天井照明を備えるスタジオ内において、さらに、大光量のストロボやキャスタ付きの移動照明器材を所有し、被写体に当てる光量、光線の方向、光線の色相を自在に調節することができるようにしている。これに対して、一般のアマチュアカメラマンが利用し得るのは、自然光、家庭内照明、カメラに組み込まれた小光量のストロボの光線であるが、小物物品の撮影は、照明以外の器材の利用性の都合等によって室内において行われることが多いため、自然光を利用することができる機会は少ない。また、家庭内照明としての蛍光灯は、写真撮影用には光量不足であるとともに、被写体である物品の色相の再現性に問題があり、これにのみ依存することもできない。
【０００４】
【発明が解決しようとする課題】
このような事情から、アマチュアカメラマンが特定の用途に供するための写真を良好な画質で撮影しようとする場合は、カメラに付属しているストロボの光線を最大限に利用しなければならないこととなる。そこで、撮影に際して、例えば次のような工夫がなされている。まず、白っぽい壁面に寄せてテーブルを準備し、テーブル上に白系統のクロスを掛ける。次に、段ボールの空き箱等を２個準備し、これを適当な間隔を保ってテーブル上に並ベ、２個の段ボール箱の対向する内側面にそれぞれ白系のボール紙を立て掛け、倒れないようにセロテープで固定する。これによって、背景となる壁面と左右のボール紙とに囲まれた反射性の高い小空間が形成される。そして、この小空間に被写体を置き、壁面の前方からストロボを発光させて撮影する訳である。この結果、被写体には、直接のストロボ光の他に、左右のボール紙と後ろの壁面とに反射した間接光が多方向から豊富に照射されることとなり、発色の良い輪郭が明快な写真を撮ることができる。
【０００５】
しかし、上記撮影方法は、事前準備と後片付けが煩雑であり、常に小空間を形成するための都合の良い材料が手に入るとも限らない。また、撮影された写真画像には、壁面とテーブル面との間の境界線が映り込んでしまうので、厳格に無背景であることを要求されるような用途には利用し難いという問題があった。
【０００６】
そこで、本発明は、一枚の板状に折り畳まれている状態のものを展開する簡単な操作によって、写真撮影用の反射性の高い小空間を短時間に形成することができるとともに、上記壁面とテーブル面との間の境界線のような不要なラインの映り込みの生じない折り畳み可能なミニチュア写真スタジオを提供することを目的とする。
【０００７】
【課題を解決するための手段】
この目的を達成するための手段として本発明は、次のような構成を採用する。
【０００８】
本発明に係る折り畳み可能なミニチュア写真スタジオの請求項１に対応する構成は、少なくとも被写体の左右に位置する一対の側面板と被写体の背後に位置する背面板と背面板の前面を覆う可撓性の背景幕と背景幕を巻き取り収納するロール芯とを備え、一対の側面板と背面板とは、屈曲連結部材を介してまたは折り目の形成によって屈曲自在に連結するとともに、一対の側面板の少なくとも内側面には、ストロボ光を反射する反射層を形成し、そして、背景幕は、背面板の上端縁に沿って設置するロール芯から被写体の下側に及んで円滑に屈曲させて下垂させることを特徴とする。
【０００９】
この構成によれば、背面板と左右の側面板とは屈曲自在であるから、左右の側面板を背面板に対して約９０度の角度をなすようにすることによって、これらの部材を例えば、テーブル上に自立させることができる。また、背景幕は、ロール芯に巻かれているので、背景幕には折り曲げ線がない。この背景幕は、巻き解くことによって背面板の上端縁側から背面板の前面を覆ってテーブル上に及ぶように円滑に屈曲させて下垂させる。これによって、左右の側面板と背景幕とによって取り囲まれた小空間が形成される。そして、テーブル上を覆う背景幕の上に被写体を載せ置いてストロボ撮影すると、被写体には、直接のストロボ光の他に、左右の側面板の反射層に反射されたストロボ光が照射されるので、鮮明な写真画像の写真を撮影することができる。この際、背景幕は、写真画像の背景となるのであるが、背面板から折り目なく被写体の下側に及ぶ状態となっているので、背面板とテーブル面との境界線の映り込みが防止される。
【００１０】
本発明に係る折り畳み可能なミニチュア写真スタジオの請求項２に対応する構成は、一対の側面板と背面板とが、折り目を介して連続する段ボール構造の一枚板材からなることを特徴とする。
【００１１】
この構成によれば、段ボール構造の板材は、コアを挟んだ立体構造体であるので平面を維持する能力が高く、しかも、コアの波形に沿って簡単に折り目を形成することが可能であり、軽量で強度の大きい一対の側面板と背面板とを低コストで形成することができる。
【００１２】
本発明に係る折り畳み可能なミニチュア写真スタジオの請求項３に対応する構成は、ロール芯が、表面態様の異なる複数枚の背景幕を備えることを特徴とする。
【００１３】
この構成によれば、背景幕の表面態様を選択して使用することができるので、より多様な撮影目的に適合することができる。
【００１４】
本発明に係る折り畳み可能なミニチュア写真スタジオの請求項４に対応する構成は、ロール芯が、両端部に背面板の上端縁に沿った姿勢において一対の側面板の上端縁と係合し、背面板に対する一対の側面板の所定の角度を保持する係合部材を備えることを特徴とする。
【００１５】
この構成によれば、一対の側面板の上端縁の係合することにより、例えば、側面板と背面板との間の折り目の弾性回復力等に抗して側面板と背面板との角度関係を適正に保持できるので、側面板と背面板とが屈曲自在に連結されていることによる不安定性を排除することができる。
【００１６】
本発明に係る折り畳み可能なミニチュア写真スタジオの請求項５に対応する構成は、一対の側面板が、内側面と外側面とに表面態様の異なる反射層を備え、屈曲連結部材または折り目を介して逆方向に折り曲げることによって、外側面を内側として使用可能であることを特徴とする。
【００１７】
この構成によれば、被写体の色相や材質等の状況に応じてより適切な反射特性を有する反射層を選択して使用することができるので、より撮影目的に適合した写真画像を得ることができる。
【００１８】
本発明に係るルア折り畳み可能なミニチュア写真スタジオの請求項６に対応する構成は、一対の側面板の少なくとも一方が、屈曲連結部材または折り目を介して側面板に対して屈曲自在のリフレクタ板を備えることを特徴とする。
【００１９】
この構成によれば、背面板に対して左右の側面板を固定した後においても、側面板に対するリフレクタ板の角度を変化させ、被写体に照射される光線の状態を微妙に調節することができる。
【００２０】
【発明の実施の形態】
以下、図面を引用しながら本発明の実施の形態を説明する。
【００２１】
本発明に係る折り畳み可能なミニチュア写真スタジオ１０は、補強等の付加的な部材を要することなく自立的に板状を維持することができる各種の板材、例えば、パルプ系の段ボールまたはプラスチック系の段ボール構造材料、発泡スチロール、発泡ポリスチレン、薄手のコンパネ等を利用して製作することができるが、ここでは、波形の成形したコアを表裏両面から挟み込んだ普通段ボール紙の一枚板から製作した例を説明する。
【００２２】
折り畳み可能なミニチュア写真スタジオ１０は、少なくとも背面板１１と折り目Ｍ，Ｍを介して背面板１１の左右に連続する一対の側面板１２，１２と、複数枚の背景幕１６，１６…を巻き付けたロール芯１７とからなる（図１）。折り目Ｍ，Ｍは、段ボールのコアの波の谷または山に沿って形成されており、一対の側面板１２，１２と背面板１１とは、折り目Ｍ，Ｍの部分において屈曲自在であり、これらは、背面板１１の上に左右の側面板１２，１２を順次に折り重ねるようにして折り畳むことができる。なお、折り畳み可能なミニチュア写真スタジオ１０のサイズは、製品としては被写体Ｂの大きさに応じて数種用意される。ここで説明しているものは、側面板１２の一辺のサイズを４５センチメートルほどに設定したものである。
【００２３】
背面板１１と一対の側面板１２，１２とは、使用上約９０度の角度をなすように位置決めされる。このとき、互いに対面関係となる一対の側面板１２，１２の内側面１２Ａ，１２Ａには、ストロボ光を反射させるための反射層Ｓ１，Ｓ１が形成されるとともに、一対の側面板１２，１２の外側面１２Ｂ，１２Ｂには、表面態様の異なる反射層Ｓ２，Ｓ２が形成されている。各反射層Ｓ１，Ｓ２は、白色系ないし金属色系の塗装またはシートの貼着手段によって形成することができ、表面態様が異なるとは、反射層Ｓ１，Ｓ２における色相の違いや乱反射処理の有無をいう。
【００２４】
使用に際しての背面板１１に対する側面板１２，１２の角度は、一対の側面板１２，１２の上端縁間に、背面板１１の上端縁に沿ってロール芯１７を差し渡すことによって維持される（図１，図２）。なお、一対の側面板１２，１２において、ロール芯１７を取り付ける部分には、半円形の切欠き１２ａ，１２ａが設けられている。
【００２５】
ロール芯１７は、プラスチック製のパイプ１７Ａと、その両端に嵌め込まれたキャップ１７ｂ，１７ｂとからなり、各キャップ１７ｂの機能は、各側面板１２の対する係合部材であり、側面板１２に係合させるための側面板１２の厚み相当のリング溝１７ａを備える。また、各キャップ１７ｂは、摩擦用のオーリング１７ｆを介してスライド自在にパイプ１７Ａ内に挿入されており、適当な操作力によってパイプ１７Ａに対して一定の範囲でスライドさせることができる。そして、パイプ１７Ａには，背面板１１の幅寸法より僅かに狭い幅の表面態様が異なる４枚の背景幕１６，１６…が巻き付けられている。各背景幕１６は、可撓性のシート部材からなり、円滑な曲線を描いて屈曲することができる。また、背景幕１６，１６…において表面態様が異なるとは、表面の色調、文様、光線の反射特性が異なることをいう。
【００２６】
撮影に際し、ロール芯１７は、左右のキャップ１７ｂ，１７ｂのリング溝１７ａ，１７ａを側面板１２，１２の切欠き１２ａ、１２ａに落とし込むことによって、展開した側面板１２，１２と係合し、背面板１１に対する側面板１２，１２の角度を保持する。また、背景幕１６，１６…は、撮影目的に応じてその一枚を表面側として背面板１１の前面から手前側に引くように下垂させ、残りの背景幕１６，１６…は、背面板１１の裏面側または背面板１１と表面の背景幕１６との間に下垂させておく。被写体Ｂを背景幕１６上に載せ置く。この際、被写体１６の上下位置を調節する必要があるときは、背景幕１６の下に適当な台を設置することができる。
【００２７】
撮影は、背面板１１に対面する位置からカメラＫのストロボＫ１を作動させて実施する（図３）。ストロボ光は、左右の側面板１２，１２の反射層Ｓ１，Ｓ１および背景幕１６によって複雑に反射され、したがって、被写体Ｂには、直接のストロボ光に加え、各部に反射した間接光が十分に照射され、光量の少ないストロボＫ１によっても画質の良好な写真を撮影することができるのである。なお、撮影は、一対の側面板１２，１２を逆方向に屈曲させ、外側の反射層Ｓ２，Ｓ２を内側として行なうこともできる（図３に２点鎖線で示す）。これによって、表面態様の異なる反射層Ｓ２，Ｓ２を被写体Ｂに応じて活用することができる。また、背景幕１６は、撮影に際して必ずしも用いなけらばならないものではない。そして、背景幕１６を用いない場合には、背面板１１にも反射層を形成しておくことが好ましい。背面板１１の反射層によってストロボ光をより有効に活用することが可能となる。
【００２８】
折り畳み可能なミニチュア写真スタジオ１０における一対の側面板１２，１２の一方または双方は、背面板１１と重ねて折り畳み可能である限り、必要に応じて延長することができる（図４）。必要に応じてとは、接写を避けてしかもストロボ光を十分に利用したい場合等である。この場合には、延長した側面板１２に新たな折り目Ｍを設けることによって対応することができる。
【００２９】
また、一対の側面板１２，１２の一方または双方には、その側面板１２に対して屈曲自在のリフレクタ板１２Ｒを設けることができる（図４）。リフレクタ板１２Ｒは、側面板１２の一部分を利用するものであり、三辺に切り目を入れ、残る一辺を折り目Ｍとして屈曲可能としたものであり、使用しないときには、側面板１２の一部分をなす。そして、撮影に際してリフレクタ板１２Ｒは、背面板１１側に屈曲させて用いる。これによって、撮影者側にはね返って来る反射光をさらに被写体Ｂ側に反射させることができるので、ストロボ光をより有効に利用することができる。
【００３０】
この形態の側面板１２は、使用後、リフレクタ板１２Ｒをその側面板１２内に収納するとともに、新たな折り目Ｍを折り込むことによって、全体として四つ折りにして背面板１１のサイズに折り畳むことができる（図５）。
【００３１】
折り畳み可能なミニチュア写真スタジオ１０は、上記いずれの実施の形態についても、上方を覆う上面板１３を備えることができる（図６）。上面板１３は、背面板１１と略同サイズであり、折り目Ｍを介して背面板１１に連続している。すなわち、背面板１１上に重ねて折り畳むことができる。この上面板１３は、側面板１２と同様の反射層を備え、使用に際して一対の側面板１２，１２間に差し渡したロール芯１７を支持部材として斜め上方向きの姿勢をとるようになっており、被写体Ｂの色相を害する室内照明等の光線を遮断するとともに、上方ににげるストロボ光を被写体Ｂに向けて反射させることができる。
【００３２】
背面板１１に対する側面板１２の角度は、予め任意の角度に成形されたコーナ金具１４を利用して固定することもできる（図７）。コーナ金具１４は、段ボール専用の市販品として得られ、所定規格の段ボールの厚みに適合するように形成されている。したがって、背面板１１と側面板１２とを折り目Ｍに沿って曲げ、その角部分にコーナ金具１４を装着する簡単な操作によって両者の角度を固定することができる。コーナ金具１４の使用は、背景幕１６、すなわちロール芯１７を用いない撮影において殊に便宜である。
【００３３】
折り目Ｍを形成することができない材料を利用して折り畳み可能なミニチュア写真スタジオ１０を製作する場合には、折り目Ｍに替えて屈曲連結部材１５を用いることができる。なお、屈曲連結部材１５とは、専用のヒンジ金具または使用上ヒンジ金具と同等の機能を発揮することができる帆布、粘着テープ、ラバーシート等、反復屈曲耐久性を有する部材をいう。ここでは、発泡スチロールからなる背面板１１と側面板１２に帆布製の布テープを屈曲連結部材１５として用いる場合について説明する（図８，図９）。
【００３４】
背面板１１と側面板１２との突き合わせ部分は、４５度の斜面に面取り成形され（図８）、一定幅の屈曲連結部材１５は、背面板１１の斜面から側面板１２の裏面側に至り、また、隣接する屈曲連結部材１５は、側面板１２の斜面から背面板１１の裏面に至り、背面板１１と側面板１２の頂点部分で交差するようにして両部材に交互に貼着されている。そして、このように連結された背面板１１と側面板１２とは、隣接する屈曲連結部材１５，１５の交点Ｐ１を中心に相互の斜面が接する方向に９０度、逆方向に１８０度の範囲で屈曲することができる。
【００３５】
屈曲連結部材１５は、背面板１１および側面板１２に対する取付け方によって両者の屈曲運動を左右することができる（図９）。例えば、屈曲連結部材１５を背面板１１の表面からその端面を経由して側面板１２の裏面に至るように貼着するとともに、隣接する屈曲連結部材１５を側面板１２の表面からその端面を経由して背面板１１の裏面に至るように交互に貼着することによって、両者の突き合わせ部分の表裏２箇所に屈曲連結部材１５，１５の交点Ｐ１，Ｐ１を得ることができる。この結果、背面板１１と側面板１２とは、それぞれ表裏の交点Ｐ１、Ｐ１を中心に１８０度の範囲で屈曲運動することができ、上記連結方法と併用すれば、折り畳み可能なミニチュア写真スタジオ１０の製作に必要な全ての屈曲連結部分を形成することができる。
【００３６】
【発明の効果】
本発明に係る折り畳み可能なミニチュア写真スタジオは、一対の側面板に反射層を備えており、折り畳まれた状態の側面板と背面板を適切な角度をなすように展開して背面板の前面に背景幕を下垂させる簡単な操作により、背面板とその左右の反射層を備える一対の側面板とにより、任意の背景の写真撮影用の反射性の高い小空間が形成され、被写体には、直接のストロボ光に加えて反射層に反射された間接光が多方向から豊富に照射されるので、カメラに付属する小光量のストロボによる場合であっても、画像品質の高い写真を撮影することができるという効果がある。また、写真の用途によっては、被写体を円滑に屈曲下垂させた背景幕の上に載せ置いて撮影することにより、テーブル等の被写体の台となっている部材と背面板との境界線の映り込みを防止することもできる。
【図面の簡単な説明】
【図１　】本発明の他の実施の形態を示す斜視図である。
【図２】上記実施の形態における要部の断面図である。
【図３】上記実施の形態における動作説明図である。
【図４】本発明の他の実施の形態を示す要部の斜視図である。
【図５】上記実施の形態における動作説明図である。
【図６】本発明の他の実施の形態を示す要部の斜視図である。
【図７】本発明の他の実施の形態を示す要部の斜視図である。
【図８】本発明の他の実施の形態を示す要部の平面図である。
【図９】本発明の他の実施の形態を示す要部の平面図である。
【符号の説明】
１０　　　　折り畳み可能なミニチュア写真スタジオ
Ｂ　　　　　被写体
Ｍ　　　　　折り目
Ｓ１　　　　反射層
Ｓ２　　　　反射層
１１　　　　背面板
１２　　　　側面板
１２Ｒ　　　リフレクタ板
１５　　　　屈曲連結部材
１６　　　　背景幕
１７　　　　ロール芯
【図１】
2004145023.tif 000003
【図２】
2004145023.tif 000004
【図３】
2004145023.tif 000005
【図４】
2004145023.tif 000006
【図５】
2004145023.tif 000007
【図６】
2004145023.tif 000008
【図７】
2004145023.tif 000009
【図８】
2004145023.tif 000010
【図９】
2004145023.tif 000011